(57)【特許請求の範囲】
【請求項１】
感光記録材料を収容し長手方向及び短手方向を有する断面が矩形の箱本体と、感光記録材料の取り出し口に遮光可能に設けられる蓋体とが別体に形成された包装箱であり、
前記箱本体は、前記感光性記録材料を収容する収容部と、該収容部の上部において前記蓋体が丁度被さるように構成された蓋被覆部とを備えており、
前記蓋被覆部は、長手方向に延びる被覆固定面と、長手方向に延び前記被覆固定面と平行で且つ谷折れ罫線に沿って外側下方へ回動して前記取り出し口を開放可能な被覆回動部と、前記被覆固定面の両側において前記被覆固定面と直角に形成され且つ前記被覆固定面及び前記箱本体と接続されている第１被覆端面と第２被覆端面とを備え、
前記被覆固定面の前記第１被覆端面側が、円弧状に形成された上角部を備え、
前記被覆回動部の前記第１被覆端面側が、円弧状に形成された上角部と、該上角部の直下に該上角部の最外縁から第２被覆端面側へ向かい円弧状に形成された湾曲部とを備え、
前記第１被覆端面の上角部が前記湾曲部に隣接し、且つ円弧状に形成されており、
前記被覆回動部の第２被覆端面側には内フラップが形成されており、前記内フラップは、被覆回動部の閉鎖時には前記第２被覆端面の内側にこれと接触状態で位置し、被覆回動部の開放時には前記内フラップの下端側が前記第２被覆端面の内側にこれと接触状態で位置することができることを特徴とする感光記録材料用包装箱。
【請求項２】
請求項１において、前記蓋被覆部が段ボールで形成されていることを特徴とする感光記録材料用包装箱。
【請求項３】
請求項２において、前記谷折れ罫線が段ボールのフルートの延びる方向に対して斜めに形成されていることを特徴とする感光記録材料用包装箱。
【請求項４】
請求項１〜３のいずれか１項において、前記第１被覆端面の上辺が前記被覆固定面の上辺より低いことを特徴とする感光記録材料用包装箱。
【発明の詳細な説明】
【技術分野】
【０００１】
本発明は、Ｘレイフィルム等の感光記録材料の包装に適した包装箱に係り、特に蓋体を容易に箱本体に被せることができ、また蓋体を箱本体に被せるときに被せ違いを起こさない構造を有する感光記録材料用包装箱に関する。
【背景技術】
【０００２】
Ｘレイフィルム等の感光記録材料を包装する包装箱には、従来図９（ａ）に示すように、感光記録材料を収容し長手方向及び短手方向を有する断面が矩形の箱本体１０３と、感光記録材料の取り出し口に遮光可能に設けられる蓋体１０５とが別体に形成された包装箱１０１が使用されていた。
【０００３】
このような包装箱の従来の構成では、箱本体１０３の上部に蓋体１０５が丁度被さるように構成された蓋被覆部１０７が形成されており、蓋被覆部１０７は長手方向に延びる被覆固定面１０９と、長手方向に延び被覆固定面１０９と平行で谷折れ罫線１１１に沿って外側下方へ回動して取り出し口を開放可能な被覆回動部１１３とを備える。また被覆固定面の両側には、被覆固定面１０９と直角に形成され且つ被覆固定面及び箱本体１０３と接続されている２つの被覆端面１１５、１１７が形成されている。
【０００４】
被覆回動部１１３の一方の被覆端面１１５側の上角部１１９は円弧状に形成されている。そして図９（ｂ）に示すように上角部１１９の下には鉤状に切り欠かれた切り欠き部１２１が形成され、円弧状の上角部１１９と切り欠き部１２１との境界部分は尖った先端部１２３の形状を有する。このような上角部１１９及び先端部１２３の構成は、図９（ｃ）に示すような展開図において、ミシン目１２５および１点鎖線で示す罫線１２７を山折りにすることにより形成していた。
【０００５】
しかしこのような尖った先端部１２３は、蓋体１０５を何回も開け閉めしている間に潰れる傾向にあり、一旦先端部１２３が潰れると、その以降の蓋体１０５の閉鎖時に蓋体１０５の下辺１０６が符号１２２で示す部分に引っ掛かり、スムースに蓋体１０５を閉鎖できなくなる場合があった。特に感光記録材料用包装箱は暗室で開閉作業をしなければならないため、作業者は手先の感覚だけで蓋体１０５を閉鎖しなければならない。そのため、蓋体１０５が一旦引っ掛かると、作業者は手先の感覚だけで蓋体１０５の引っ掛かりを解消することは困難であった。
【０００６】
また従来の構成では図１０（ａ）に示すように被覆回動部１１３の両側にフラップは存在せず、そのため図１０（ｂ）に示すように被覆回動部１１３が完全に閉鎖していない状態で蓋体１０５を被せようとすると、蓋体１０５の背面板１２０が被覆回動部１１３と２つの被覆端面１１５、１１７との間に入った状態となる場合があった。明るい場所ではこのような状況は直ちに把握できるが、感光記録材料用包装箱は暗室で開閉作業をしなければならないため、作業者は上記のような状況に至ったことに気付かずにそのまま包装箱を暗室から持ち出して、感光記録材料が露光してしまう危険があった。
【発明の開示】
【発明が解決しようとする課題】
【０００７】
従来の包装箱が有している上記の問題点を考慮して、本発明は、蓋被覆部に容易に潰れやすい部分をなくすことにより、蓋体を容易に箱本体に被せることができ、且つ被覆回動部を完全に閉鎖しなければ蓋体を被せることができない感光記録材料用包装箱を提供することを課題とした。
【課題を解決するための手段】
【０００８】
本発明者は鋭意検討を重ねた結果、以下の構成を有する本発明の感光記録材料用包装箱によれば上記の課題を解決し得ることを見い出した。
【０００９】
本発明の感光記録材料用包装箱は、感光記録材料を収容し長手方向及び短手方向を有する断面が矩形の箱本体と、感光記録材料の取り出し口に遮光可能に設けられる蓋体とが別体に形成された包装箱であり、上記箱本体は、上記感光性記録材料を収容する収容部と、該収容部の上部において上記蓋体が丁度被さるように構成された蓋被覆部とを備えており、上記蓋被覆部は、長手方向に延びる被覆固定面と、長手方向に延び上記被覆固定面と平行で且つ谷折れ罫線に沿って外側下方へ回動して上記取り出し口を開放可能な被覆回動部と、上記被覆固定面の両側において上記被覆固定面と直角に形成され且つ上記被覆固定面及び上記箱本体と接続されている第１被覆端面と第２被覆端面とを備え、上記被覆固定面の上記第１被覆端面側が、円弧状に形成された上角部を備え、上記被覆回動部の上記第１被覆端面側が、円弧状に形成された上角部と、該上角部の直下に該上角部の最外縁から第２被覆端面側へ向かい円弧状に形成された湾曲部とを備え、上記被覆回動部の第２被覆端面側には内フラップが形成されており、上記内フラップは、被覆回動部の閉鎖時には上記第２被覆端面の内側にこれと接触状態で位置し、被覆回動部の開放時には上記内フラップの下端側が上記第２被覆端面の内側にこれと接触状態で位置することができることを特徴とするものである（第１の態様）。
【００１０】
上記発明において、上記蓋被覆部が段ボールで形成されていてもよい（第２の態様）。また上記発明において、上記谷折れ罫線が段ボールのフルートの延びる方向に対して斜めに形成されていてもよい（第３の態様）。
【００１１】
上記発明において、上記第１被覆端面の上角部が上記湾曲部に隣接し、且つ円弧状に形成されていてもよい（第４の態様）。
【００１２】
上記発明において、上記第１被覆端面の上辺が上記被覆固定面の上辺より低くてもよい（第５の態様）。
【発明の効果】
【００１３】
第１の態様によれば、上角部の下側位置を湾曲に形成することにより、蓋体を何回も開け閉めしても従来の先端部１２３（図９（ｂ）参照）のように潰れることがないから、蓋体のスムースな閉鎖動作が維持される。また内フラップの存在により、被覆回動部が完全に閉鎖していない状態で蓋体を被せようとすると、蓋体の側板が内フラップに当接してそれ以上蓋体を押し込むことができなくなる。従って暗室において作業者は被覆回動部が完全に閉鎖していないことに気が付くことができるから、蓋体が完全に被さっていない状態で包装箱を暗室から持ち出して、感光記録材料が露光してしまう危険性がなくなる。
【００１４】
第２の態様によれば、保形性および遮光性に優れた包装箱を提供できる。
【００１５】
第３の態様によれば、谷折れ罫線をフルートの方向と平行にすると、被覆回動部が谷折れ罫線以外の部位で折れ曲がってしまう場合があるが、段ボールのフルートの延びる方向に対して斜めに谷折れ罫線を形成することでこのような現象を回避できる。
【００１６】
第４の態様によれば、湾曲部とこれに隣接する第１被覆端面の上角部とが共に円弧状に形成されているため、被覆回動部の閉鎖動作時に、仮に湾曲部と第１被覆端面の上角部とが衝突してもいずれの側も潰れることがないから、蓋体のスムースな閉鎖動作が確保される。
【００１７】
第５の態様によれば、蓋体を第２被覆端面側から斜め状態で被せてきた時に、蓋体の下辺が第１被覆端面の上辺に当接して蓋体が所定位置まで下げられない事態が生じることを防止できる。
【発明を実施するための最良の形態】
【００１８】
以下に、本発明の感光記録材料用包装箱について、図面を参照しながら詳細に説明する。以下に記載する構成要件の説明は、本発明の代表的な実施態様に基づいて行うが、本発明はそのような実施態様に限定されるものではない。なお、本明細書において「〜」を用いて表される数値範囲は、「〜」の前後に記載される数値を下限値および上限値として含む範囲を意味する。
【００１９】
図１は本発明に係る感光記録材料用包装箱（以下、包装箱という）の開封時における全体を示す斜視図であり、図２は被覆回動部の閉鎖時の状態を示す斜視図であり、図３は被覆回動部の開放時の状態を示す斜視図である。また図４は蓋体を被せるときの様子を示す斜視図であり、図５は被覆回動部の第１被覆端面側の拡大図であり、図６は被覆回動部及び第１被覆端面周辺の展開図である。また図７は被覆回動部が僅かに開いているときに蓋体を被せようとした場合の説明図であり、図８は被覆回動部の谷折れ罫線が段ボールのフルートの延びる方向に対して斜めに形成されている実施形態を示す正面図である。図９及び図１０は従来の包装箱の構成の斜視図及びその問題点を示す図である。
【００２０】
本発明の包装箱１は、内装袋３によって密封された感光記録材料Ｍを収容し、長手方向及び短手方向を有する断面が矩形の箱本体５と、感光記録材料Ｍの取り出し口７に遮光可能に設けられる蓋体９とが別体に形成されている。尚、内装袋３は「白グラ」と呼ばれる紙、アルミ箔及びポリエチレンの積層フィルムで構成されている。また本発明の包装箱１は箱本体５の内箱６及び後述する蓋被覆部が段ボールで構成され、例えばＢフルート（段数が約５０／３００ｍｍ）や、Ｅフルート（段数が約９４／３００ｍｍ）のようなマイクロフルート段ボールが使用される。また箱本体５の外箱８及び蓋体９は、板紙で構成されている。
【００２１】
箱本体５は、感光性記録材料Ｍを収容する収容部１１と、収容部１１の上部において蓋体９が丁度被さるように構成された蓋被覆部１３とを備えている。蓋被覆部１３は、箱本体５の内箱６が上方に突出した部分であり、長手方向に延びる被覆固定面１５と、同じく長手方向に延び被覆固定面１５と平行で且つ谷折れ罫線１７に沿って外側下方へ回動することで取り出し口７が開放可能となる被覆回動部１９とを備えている。また被覆固定面１５の両側には、それぞれ被覆固定面１５から直角に折れ曲がるように形成され、被覆固定面１５に接続されている第１被覆端面２１と第２被覆端面２３とが形成されている。
【００２２】
被覆固定面１５の第１被覆端面２１側は、曲率半径３０ｍｍの円弧が９０度に亘って形成された上角部２５を構成し、これに対応して被覆回動部１９の第１被覆端面２１側も、同じく曲率半径３０ｍｍの円弧が９０度に亘って形成された上角部２７を構成している。これら２つの円弧状の上角部２５、２７は、図４に示すように蓋体９を第２被覆端面２３側（図４の左側）から斜め状態で被せてきた時に、蓋体９の下辺が円弧状の上角部２５、２７に案内されるので、暗室でも作業者が容易に蓋体９を所定の位置まで押し下げて確実な閉鎖を行うことができる。
【００２３】
第１被覆端面２１の上辺２９は被覆固定面１５の上辺３１より低い位置にあり、これにより蓋体９を第２被覆端面２３側から斜め状態で被せてきた時に、蓋体９の下辺１０が第１被覆端面２１の上辺２９に当接して蓋体９が所定位置まで下げられない事態が生じることを防止している。尚、上角部２５、２７を円弧状に形成する構成や第１被覆端面２１の上辺２９を被覆固定面１５の上辺３１より低い位置とする構成は、このような構成が採用される側と反対側から蓋体９を被せることを想定したものであり、従って図４の右側から蓋体９を被せることを想定する場合には、図４の左側にこのような構成を採用することができる。
【００２４】
被覆回動部１９の第１被覆端面２１側には、円弧状の上角部２７の直下に上角部２７の最外縁３３から第２被覆端面２３側へ向かい円弧状に形成された本発明の特徴的な構成である湾曲部３５が形成されている。このように上角部２７の下側位置を湾曲に形成することにより、蓋体９を何回も開け閉めしても従来の先端部１２３（図９（ｂ）参照）のように潰れることがないから、蓋体９のスムースな閉鎖動作が維持される。本実施形態では、湾曲部３５の曲率半径は２０ｍｍであり、ほぼ３０〜４５度の円周角の範囲に亘って形成されている。
【００２５】
第１被覆端面２１が湾曲部３５に隣接する位置には、曲率半径１０ｍｍの円弧が９０度に亘って形成され、第１被覆端面２１の上角部３７を構成している。このように湾曲部３５とこれに隣接する第１被覆端面２１の上角部３７とが共に円弧状に形成されているため、被覆回動部１９の閉鎖動作時に、仮に湾曲部３５と第１被覆端面２１の上角部３７とが衝突してもいずれの側も潰れることがないから、蓋体９のスムースな閉鎖動作が確保される。
【００２６】
被覆回動部１９の第２被覆端面２３には本発明の特徴的構成である内フラップ４３が形成されている。内フラップ４３は、被覆回動部１９の閉鎖時には第２被覆端面２３の内側にこれと接触状態で位置する。また被覆回動部１９の開放時には内フラップ４３の下端側が第２被覆端面２３の内側にこれと接触状態で位置する。従って被覆回動部１９を外側へ９０度以上に亘って回動しても、内フラップ４３の下端側が第２被覆端面２３の内側に存在し続ける。これにより、内フラップ４３が第２被覆端面２３の外側にはみ出て、蓋体９を被せることができなくなることが防止される。
【００２７】
内フラップ４３の作用について図７を参照しながら説明する。図７に示すように被覆回動部１９が僅かに開放している状態にあるとき、内フラップ４３の上辺４７が、被覆回動部１９と第２被覆端面２３との間の隙間に跨るように存在する。そのため、蓋体９を蓋被覆部１３に被せるときに、誤って蓋体９の背面板５０が、被覆回動部１９と第２被覆端面２３との間の隙間の位置に来たとしても、背面板５０の下辺が内フラップ４３の上辺４７に当接してそれ以上蓋体９を押し込むことができなくなる。これにより暗室において作業者は被覆回動部１９が完全に閉鎖していないことに気が付くことができるから、蓋体９が完全に被さっていない状態で包装箱１を暗室から持ち出して、感光記録材料が露光してしまう危険性がなくなる。
【００２８】
上述したように本実施形態では蓋被覆部１３は段ボールで構成されているが、蓋被覆部１３は段ボールのフルートが水平になるように形成されている。この場合、谷折れ罫線１７を同様に水平に形成すると、被覆回動部１９が谷折れ罫線１７以外の部位で折れ曲がってしまう場合がある。こうした形態を採用する場合には、谷折れ罫線１７は、折れ曲がり位置を安定化させる全切りと、耐久性を確保する筋押しを交互に形成することが好ましい。例えば全切り２５ｍｍ、筋押し２５ｍｍを交互に、または全切り１５ｍｍ、筋押し３２ｍｍを交互に形成すると、良好な特性が得られる。
【００２９】
別の形態として、図８に示すように谷折れ罫線１７が段ボールのフルートの延びる方向に対して斜めになるように形成してもよい。具体的には包装箱１の幅寸法が３８ｃｍの場合、谷折れ罫線１７の左端と右端の高さの差が１０〜３０ｍｍであることが好ましい。この場合においても、谷折れ罫線１７には全切りと筋押しを交互に形成することが可能であり、例えば、全切り１５ｍｍ、筋押し３２ｍｍを交互に形成することができる。
【００３０】
一方、耐久性より取り出し性を優先したい場合は、谷折れ罫線１７をミシン
線にしてもよい。例えば全切りを８ｍｍ、接続部分（ニック）を３ｍｍにすると、被覆回動部１９をミシン線から手で容易に切り取ることができる。
【産業上の利用可能性】
【００３１】
本発明の感光記録材料用包装箱は、様々な種類の感光記録材料を包装するための包装箱として広く利用することが可能である。特に、直接撮影医療用フィルムなどのＸレイフィルム用の包装箱として好ましく使用することができる。
【図面の簡単な説明】
【００３２】
【図１】本発明に係る包装箱の開封時における全体を示す斜視図である。
【図２】被覆回動部の閉鎖時の状態を示す斜視図である。
【図３】被覆回動部の開放時の状態を示す斜視図である。
【図４】蓋体を被せるときの様子を示す斜視図である。
【図５】被覆回動部の第１被覆端面側の拡大図である。
【図６】被覆回動部及び第１被覆端面周辺の展開図である。
【図７】被覆回動部が僅かに開いているときに蓋体を被せようとした場合の説明図である。
【図８】被覆回動部の谷折れ罫線が段ボールのフルートの延びる方向に対して斜めに形成されている実施形態を示す正面図である。
【図９】従来の包装箱の構成の斜視図及びその問題点を示す図である。
【図１０】従来の包装箱の構成の斜視図及びその問題点を示す図である。
【符号の説明】
【００３３】
１  （感光記録材料用）包装箱
３  内装袋
５  箱本体
６  内箱
７  取り出し口
８  外箱
９  蓋体
１０  蓋体の下辺
１１  収容部
１３  蓋被覆部
１５  被覆固定面
１７  谷折れ罫線
１９  被覆回動部
２１  第１被覆端面
２３  第２被覆端面
２５  被覆固定面の上角部
２７  被覆回動部の上角部
２９  第１被覆端面の上辺
３１  被覆固定面の上辺
３３  上角部の最外縁
３５  湾曲部
３７  第１被覆端面の上角部
４３  内フラップ
４７  内フラップの上辺
５０  背面板
Ｍ  感光記録材料
【図１】
0004766981.tif 000002
【図２】
0004766981.tif 000003
【図３】
0004766981.tif 000004
【図４】
0004766981.tif 000005
【図５】
0004766981.tif 000006
【図６】
0004766981.tif 000007
【図７】
0004766981.tif 000008
【図８】
0004766981.tif 000009
【図９】
0004766981.tif 000010
【図１０】
0004766981.tif 000011